(57)【要約】【課題】利便性を向上できる流量監視システムを提供する。【解決手段】電流または流体の経路上に配してこれらの流量に基づく検出値を出力する複数の端末測定器１００と、各端末測定器１００の出力を監視するとともに各端末測定器１００または一地点の下流に配される複数の端末測定器１００から成る管理単位を所定のグループに分類してグループ別に端末測定器１００の出力を集計できる管理装置１０とを備えた流量監視システム１において、管理装置１０が各管理単位に対応して、上流に隣接する管理単位を示すデータと、下流に隣接する管理単位を示すデータと、グループのデータとを含むデータベースを保持し、一の管理単位に対するグループを入力設定する際に、一の管理単位の上流及び下流に設置される管理単位のグループが設定済の場合に、警告報知またはグループの入力禁止を行うようにした。【選択図】図２
2014106148.tif 000002
【特許請求の範囲】
【請求項１】
電流または流体の経路上に配してこれらの流量に基づく検出値を出力する複数の端末測定器と、
各前記端末測定器の出力を監視するとともに、各前記端末測定器または一地点の下流に配される複数の前記端末測定器から成る管理単位を所定のグループに分類して前記グループ別に前記管理単位の出力を集計できる管理装置と、
を備えた流量監視システムにおいて、
前記管理装置が各前記管理単位に対応して、上流に隣接する前記管理単位を示すデータと、下流に隣接する前記管理単位を示すデータと、前記グループのデータとを含むデータベースを保持し、
一の前記管理単位に対する前記グループを入力設定する際に、一の前記管理単位の上流及び下流に設置される前記管理単位の前記グループが設定済の場合に、警告報知または前記グループの入力禁止を行うことを特徴とする流量監視システム。
【請求項２】
前記管理装置は各前記管理単位の一覧を表示した入力画面から所望の前記管理単位を選択して前記グループを設定することができ、前記グループの設定済の前記管理単位に対して所定の第１目印を前記入力画面に表示するととともに、
一の前記管理単位の上流及び下流に設置される前記管理単位の前記グループが設定済の場合に、第１目印と異なる第２目印を前記入力画面に表示して警告報知を行うことを特徴とする請求項１に記載の流量監視システム。
【請求項３】
下流に隣接する前記管理単位を有した前記管理単位に対して前記グループが設定されると、下流に連結されるすべての未設定の前記管理単位に対して第１目印が表示されることを特徴とする請求項２に記載の流量監視システム。
【請求項４】
前記端末測定器の出力が電力から成るとともに、前記データベースが前記管理単位を用途別に分類した前記グループのデータと、前記管理単位を設置場所別に分類した前記グループのデータとを有することを特徴とする請求項１〜請求項３のいずれかに記載の流量監視システム。
【請求項５】
前記グループを入力設定する際に、上流に隣接する前記管理単位の前記グループが設定済か否かを判別する処理を再起的に行うとともに、下流に隣接する前記管理単位の前記グループが設定済か否かを判別する処理を再起的に行うことを特徴とする請求項１〜請求項４のいずれかに記載の流量監視システム。
【発明の詳細な説明】
【技術分野】
【０００１】
本発明は、電流や水流等の流量に基づく検出値を出力する複数の端末測定器を有して端末測定器の出力を監視する流量監視システムに関する。
【背景技術】
【０００２】
従来の流量監視システムは特許文献１に開示されている。この流量監視システムは管理装置（システムコントローラ）と、建物等の電力配線を流れる電流の経路上に配した複数の電力計とを備えている。各電力計は各地点の電流の流量に基づいて電力を出力するとともに、電流を遮断するブレーカが一体に設けられる。管理装置は各電力計と通信可能に接続され、各電力計の出力を監視する。これにより、各電力計の出力を集計して建物等の内部の使用電力を監視することができる。
【０００３】
また、各電力計に対して部署別等の所望のグループを設定して記憶することができる。これにより、管理装置によってグループ別に電力計を抽出して出力を集計することにより、グループ別の使用電力をきめ細かく分析することができる。
【先行技術文献】
【特許文献】
【０００４】
【特許文献１】特開２０１１−３８９９５号公報（第４頁〜第８頁、第１図）
【発明の概要】
【発明が解決しようとする課題】
【０００５】
しかしながら、上記従来の流量監視システムによると、所定のグループ別に電力計を抽出する際に同一経路上の上下流の電力計が抽出されると、両者の出力が重複して集計される。これにより、グループ別の集計結果が不正確になるため、グループ別の集計時に各電力計の出力が重複しないように使用者が電力計を逐一選択する必要がある。従って、流量監視システムの利便性が悪い問題があった。
【０００６】
本発明は、利便性を向上できる流量監視システムを提供することを目的とする。
【課題を解決するための手段】
【０００７】
電流または流体の経路上に配してこれらの流量に基づく検出値を出力する複数の端末測定器と、
各前記端末測定器の出力を監視するとともに、各前記端末測定器または一地点の下流に配される複数の前記端末測定器から成る管理単位を所定のグループに分類して前記グループ別に前記管理単位の出力を集計できる管理装置と、
を備えた流量監視システムにおいて、
前記管理装置が各前記管理単位に対応して、上流に隣接する前記管理単位を示すデータと、下流に隣接する前記管理単位を示すデータと、前記グループのデータとを含むデータベースを保持し、
一の前記管理単位に対する前記グループを入力設定する際に、一の前記管理単位の上流及び下流に設置される前記管理単位の前記グループが設定済の場合に、警告報知または前記グループの入力禁止を行うことを特徴としている。
【０００８】
この構成によると、使用者の入力により例えば管理単位である各端末測定器のＩＤ番号、各上下流に隣接する端末測定器のＩＤ番号及び所望のグループを含むデータベースが記憶される。これにより、管理装置によって端末測定器の出力をグループ別に集計することができる。一の端末測定器のグループの入力設定する際に、上下流のすべての端末測定器のグループが設定済か否かが判別される。そして、一の端末測定器に対する上下流のいずれかの端末測定器のグループが設定済の場合に警告報知またはグループの入力の禁止が行われる。
【０００９】
また本発明は、上記構成の流量監視システムにおいて、前記管理装置は各前記管理単位の一覧を表示した入力画面から所望の前記管理単位を選択して前記グループを設定することができ、前記グループの設定済の前記管理単位に対して所定の第１目印を前記入力画面に表示するととともに、
一の前記管理単位の上流及び下流に設置される前記管理単位の前記グループが設定済の場合に、第１目印と異なる第２目印を前記入力画面に表示して警告報知を行うことを特徴としている。
【００１０】
また本発明は、上記構成の流量監視システムにおいて、下流に隣接する前記管理単位を有した前記管理単位に対して前記グループが設定されると、下流に連結されるすべての未設定の前記管理単位に対して第１目印が表示されることを特徴としている。
【００１１】
また本発明は、上記構成の流量監視システムにおいて、前記端末測定器の出力が電力から成るとともに、前記データベースが前記管理単位を用途別に分類した前記グループのデータと、前記管理単位を設置場所別に分類した前記グループのデータとを有することを特徴としている。
【００１２】
また本発明は、上記構成の流量監視システムにおいて、前記グループを入力設定する際に、上流に隣接する前記管理単位の前記グループが設定済か否かを判別する処理を再起的に行うとともに、下流に隣接する前記管理単位の前記グループが設定済か否かを判別する処理を再起的に行うことを特徴としている。
【発明の効果】
【００１３】
本発明によると、一または複数の端末測定器から成る管理単位に対するグループを入力設定する際に、上流及び下流に設置される管理単位のグループが設定済の場合に警告報知または入力禁止を行うので、管理単位の出力をグループ別に集計する際の重複を容易に防止することができる。従って、流量監視システムの利便性を向上することができる。
【図面の簡単な説明】
【００１４】
【図１】本発明の実施形態の流量監視システムを示すブロック図
【図２】本発明の実施形態の流量監視システムのグループの入力設定画面示す図
【図３】本発明の実施形態の流量監視システムのグループの入力設定時の動作を示すフローチャート
【図４】本発明の実施形態の流量監視システムの上流判別処理の動作を示すフローチャート
【図５】本発明の実施形態の流量監視システムの下流判別処理の動作を示すフローチャート
【図６】本発明の実施形態の流量監視システムのグループの入力設定画面の警告報知状態を示す図
【図７】本発明の実施形態の流量監視システムのグループ別の集計処理の動作を示すフローチャート
【発明を実施するための形態】
【００１５】
＜第１実施形態＞
以下に図面を参照して本発明の実施形態を説明する。図１は一実施形態の流量監視システムの構成を示すブロック図である。流量監視システム１は管理装置１０と、建物等の電力配線２を流れる電流の経路上に配した複数の電力計１００（端末測定器）とを備えている。
【００１６】
電力計１００はツリー状に分岐する経路の各地点の電流の流量に基づく電力を検出値として出力する。電力計１００には電流を遮断するブレーカ（不図示）が一体に設けられる。尚、説明を容易にするために、図中、それぞれの電力計１００には後述するＩＤ番号と同じ符号（１０１〜１７２）を記している。
【００１７】
管理装置１０はパーソナルコンピュータ等により構成され、各部を制御するＣＰＵを含む制御部１１に通信部１２、表示部１３、操作部１４及び記憶部１５が接続される。通信部１２は通信線３を介して各電力計１００と通信を行う。表示部１３は管理装置１０の操作画面や監視画面を表示する。操作部１４はキーボードやマウス等により入力操作を行う。記憶部１５はＲＡＭ、ＲＯＭ、ハードディスク等から成り、管理装置１０の動作プログラムや後述する電力計１００のデータベース等を記憶するとともに制御部１１の演算結果を一時記憶する。
【００１８】
管理装置１０は通信部１２と各電力計１００との通信によって電力計１００から出力される電力を監視する。これにより、各電力計１００の出力を集計して建物等の内部の使用電力を監視することができる。
【００１９】
記憶部１５には表１に示すように、各電力計１０１〜１７２の属性を示すデータベースが記憶される。該データベースは各電力計１０１〜１７２に対応して、ＩＤ番号、名称、用途別のグループ、部署別のグループ、上流に隣接する電力計１０１〜１７２のＩＤ番号（親ＩＤ）、下流に隣接する電力計１０１〜１７２のＩＤ番号（子ＩＤ）を有している。データベースの各データは操作部１４により入力される。
【００２０】
【表１】
2014106148.tif 000003
【００２１】
管理装置１０は各電力計１００を管理単位として用途別または部署別のグループ別に管理単位である電力計１００の出力を集計できるようになっている。用途別のグループには例えば、「サーバ」、「コンセント」、「調理」、「換気」、「照明」、「空調」等の項目が設けられる。部署別のグループには各電力計１００の設置場所を示す部署名の項目が設けられる。また、用途別及び部署別のグループには未分類の状態に設定する「未分類」の項目が設けられる。
【００２２】
図２は各電力計１００のグループの入力画面２１を示している。入力画面２１は上部にグループを選択するグループ選択部２２、２３が設けられる。グループ選択部２２はコンボボックスにより形成され、グループ分けの種類（用途別または部署別）を択一的に選択する。グループ選択部２３はコンボボックスにより形成され、グループの項目を選択する。グループ選択部２３の右方には後述する更新ボタン２４が設けられる。
【００２３】
グループ選択部２２、２３の下方には各電力計１００に対応した複数の端末表示部２５が一覧表示される。端末表示部２５には各電力計１００の名称及びグループ選択部２２で選択される種類におけるグループが並記される。電流の経路の分岐点に配される電力計１０１（名称：○○ビル）や電力計１０２（名称：倉庫動力）等を示す端末表示部２５の先頭には階層ボタン２５ａが設けられる。階層ボタン２５ａの操作によって下流に隣接する電力計１００の展開表示と非表示とを切り替えることができる。
【００２４】
各端末表示部２５の名称の左方にはチェックボックス２５ｂが設けられる。グループ選択部２２、２３によりグループを選択し、チェックボックス２５ｂにチェックした後に更新ボタン２４が操作される。これにより、各電力計１００に対応したグループがデータベースに登録される。尚、グループ選択部２２におけるグループ分けの種類の選択を変更すると、それに連動して端末表示部２５に表示されているグルー プが書き換えられる。
【００２５】
また、グループが未分類の電力計１００に対応する端末表示部２５の背景色は白色で表示される。グループが設定済の電力計１００に対応する端末表示部２５に対して目印（第１目印）として背景色が緑色に表示される。これにより、グループを設定済の電力計１００を容易に視認することができる。この時、下流に隣接する電力計１００を有した電力計１００がグループを設定済の場合に、下流の電力計１００を示す端末表示部２５も同様に緑色に表示される。
【００２６】
図３は入力画面２１上でのグループの入力設定時の動作を示すフローチャートである。所望の端末表示部２５のチェックボックス２５ｂがチェックされると、同図のフローチャートが開始される。ステップ＃１１ではチェックされた端末表示部２５に対応する電力計１００が上流に隣接する電力計１００を有するか否かを記憶部１５に記憶されるデータベースの参照により判別する。上流に隣接する電力計１００がない場合はステップ＃１４に移行する。上流に隣接する電力計１００がある場合はステップ＃１２で図４に示す上流判別処理が呼び出される。
【００２７】
上流判別処理のステップ＃３１では上流に隣接する電力計１００に対してグループが未分類の状態か否かがデータベースを参照して判別される。この時、用途別及び部署別のグループの種類に対してそれぞれ独立して判別される。例えば、グループ選択部２２により用途別のグループが選択されている場合は、部署別のグループの設定状態に拘わらず、用途別のグループが未登録か否かが判別される。
【００２８】
上流に隣接する電力計１００がグループを設定済の場合はステップ＃３５に移行し、返り値としてＴｒｕｅ（真）を取得して親プロセスに戻る。
【００２９】
上流に隣接する電力計１００がグループを未分類の状態の場合はステップ＃３２に移行する。ステップ＃３２では上流に隣接する電力計１００が更に上流に隣接する電力計１００を有するか否かをデータベースの参照により判別する。上流の更に上流に隣接する電力計１００がない場合はステップ＃３６に移行し、返り値としてＦａｌｓｅ（偽）を取得して親プロセスに戻る。
【００３０】
上流の更に上流に隣接する電力計１００がある場合はステップ＃３３で同図の上流判別処理が再帰的に呼び出される。これにより、チェックした端末表示部２５に対応する電力計１００の上流の更に上流の電力計１００について同様の処理が行われる。ステップ＃３４ではステップ＃３３の返り値がＴｒｕｅか否かが判別される。ステップ＃３３の返り値がＴｒｕｅの場合はステップ＃３５に移行し、返り値としてＴｒｕｅが取得される。ステップ＃３３の返り値がＦａｌｓｅの場合はステップ＃３６に移行し、返り値としてＦａｌｓｅが取得される。
【００３１】
これにより、経路上の上流側のいずれか一つの電力計１００に対してグループが設定済であれば返り値としてＴｒｕｅを取得して図３のフローチャートに戻る。また、経路上の上流側のすべての電力計１００に対してグループが未分類であれば返り値としてＦａｌｓｅを取得して図３のフローチャートに戻る。
【００３２】
図３のステップ＃１３ではステップ＃１２の返り値がＴｒｕｅか否かが判別される。ステップ＃１２の返り値がＴｒｕｅの場合はステップ＃２１に移行し、ステップ＃１２の返り値がＦａｌｓｅの場合はステップ＃１４に移行する。
【００３３】
ステップ＃１４では端末表示部２５に対応する電力計１００が下流に隣接する電力計１００を有するか否かをデータベースの参照により判別する。下流に隣接する電力計１００がない場合はステップ＃１８に移行する。下流に隣接する電力計１００がある場合はステップ＃１５で図５に示す下流判別処理が呼び出される。
【００３４】
下流判別処理のステップ＃４１では下流に隣接する電力計１００に対してグループが未分類の状態か否かがデータベースを参照して判別される。下流に隣接する電力計１００がグループを設定済の場合はステップ＃４５に移行し、返り値としてＴｒｕｅを取得して親プロセスに戻る。
【００３５】
下流に隣接する電力計１００がグループを未分類の状態の場合はステップ＃４２に移行する。ステップ＃４２では下流に隣接する電力計１００が更に下流に隣接する電力計１００を有するか否かをデータベースの参照により判別する。下流の更に下流に隣接する電力計１００がない場合はステップ＃４６に移行し、返り値としてＦａｌｓｅを取得して親プロセスに戻る。
【００３６】
下流の更に下流に隣接する電力計１００がある場合はステップ＃４３で同図の下流判別処理が再帰的に呼び出される。これにより、チェックした端末表示部２５に対応する電力計１００の下流の更に下流の電力計１００について同様の処理が行われる。ステップ＃４４ではステップ＃４３の返り値がＴｒｕｅか否かが判別される。ステップ＃４３の返り値がＴｒｕｅの場合はステップ＃４５に移行し、返り値としてＴｒｕｅが取得される。ステップ＃４３の返り値がＦａｌｓｅの場合はステップ＃４６に移行し、返り値としてＦａｌｓｅが取得される。
【００３７】
これにより、経路上の下流側のいずれか一つの電力計１００に対してグループが設定済であれば返り値としてＴｒｕｅを取得して図３のフローチャートに戻る。また、経路上の下流側のすべての電力計１００に対してグループが未分類であれば返り値としてＦａｌｓｅを取得して図３のフローチャートに戻る。
【００３８】
図３のステップ＃１６ではステップ＃１５の返り値がＴｒｕｅか否かが判別される。ステップ＃１５の返り値がＴｒｕｅの場合はステップ＃２１に移行し、ステップ＃１５の返り値がＦａｌｓｅの場合はステップ＃１７に移行する。
【００３９】
ステップ＃１７では下流に隣接するすべての電力計１００に対して下流判別処理を行ったか否かが判断される。下流に隣接するすべての電力計１００に対して下流判別処理を行っていない場合はステップ＃１５に戻り、ステップ＃１５〜＃１７が繰り返し行われる。下流に隣接するすべての電力計１００に対して下流判別処理を行った場合はステップ＃１８に移行する。
【００４０】
ステップ＃１８ではチェックボックス２５ｂのチェックを解除して端末表示部２５の選択がキャンセルされたか否かが判断される。端末表示部２５の選択がキャンセルされていない場合はステップ＃１９で更新ボタン２４が操作されたか否かが判断される。更新ボタン２４が操作されていない場合はステップ＃１８に戻り、ステップ＃１８、＃１９が繰り返される。
【００４１】
そして、端末表示部２５の選択がキャンセルされると、処理を終了する。また、更新ボタン２４が操作されると、グループをデータベースに登録してステップ＃２０に移行する。ステップ＃２０では端末表示部２５の背景色を緑色に設定して処理を終了する。この時、下流側の電力計１００に対応する端末表示部２５の背景色も同時に緑色に設定される。
【００４２】
ステップ＃１３、＃１６の判別により返り値がＴｒｕｅの場合は、上流または下流のいずれかの電力計１００に対してグループが設定済である。このため、図６に示すように、ステップ＃２１で端末表示部２５（図中、２５’で示す）に対して目印（第２目印）として背景色が緑色と異なるピンク色に表示される。これにより、警告報知が行われ、同一経路上の電力計１００に対して重複してグループが設定されていることを容易に判別することができる。
【００４３】
ステップ＃２２では更新ボタン２４が操作されたか否かが判断される。更新ボタン２４が操作されていない場合はステップ＃２３でチェックボックス２５ｂのチェックを解除して端末表示部２５の選択がキャンセルされたか否かが判断される。端末表示部２５の選択がキャンセルされていない場合はステップ＃２２に戻り、ステップ＃２２、＃２３が繰り返される。
【００４４】
そして、更新ボタン２４が操作されると、グループをデータベースに登録して処理を終了する。この時、端末表示部２５の背景色を更に他の色（例えば、黄色）に変更してもよい。また、端末表示部２５の選択がキャンセルされると、ステップ＃２４で端末表示部２５の背景色を元の色（白色または緑色）に戻して処理を終了する。
【００４５】
次に、図７は管理装置１０により電力計１００の出力をグループ別に集計する際の動作を示すフローチャートである。ステップ＃５１では電力計１００のＩＤ番号を示す変数ＩＤを初期化して最低値の１０１が代入され、電力の合計を示す変数Ｗｔを初期化して０が代入される。ステップ＃５２では集計を行うグループが指定されるまで待機する。
【００４６】
グループが指定されるとステップ＃５３に移行し、変数ＩＤが示すＩＤ番号の電力計１００がステップ＃５２で指定されたグループに設定されているか否かが判別される。変数ＩＤに対応する電力計１００が指定されたグループに設定されていない場合はステップ＃５５に移行し、設定されている場合はステップ＃５４に移行する。尚、変数ＩＤに一致するＩＤ番号の電力計１００がない場合もステップ＃５５に移行する。
【００４７】
ステップ＃５４では変数ＩＤに対応する電力計１００の出力の電力Ｗ（ＩＤ）が変数Ｗｔに加算される。ステップ＃５５では変数ＩＤが電力計１００のＩＤ番号の最大値か否かが判断される。変数ＩＤが電力計１００のＩＤ番号の最大値でない場合はステップ＃５６で変数ＩＤがインクリメントされ、ステップ＃５３〜＃５６が繰り返し行われる。
【００４８】
変数ＩＤが電力計１００のＩＤ番号の最大値の場合はステップ＃５７に移行し、変数Ｗｔで示す合計電力が表示部１３に出力される。そして、処理を終了する。尚、複数のグループを選択し、各グループに対して同様の処理を行ってそれぞれの合計電力を出力してもよい。
【００４９】
また、各電力計１００を管理単位としてそれぞれグループに分類しているが、複数の電力計１００を管理単位としてもよい。即ち、経路上の一地点の下流に配される複数の電力計１００の出力を合計すると、該地点上の電力を取得できる。これにより、該地点に電力計を設置しなくても電力計を設置した状態と同じ状態が得られる。従って、一地点の下流に配される複数の電力計１００を一の電力計のように取り扱い、一の管理単位としてグループ分けしてもよい。
【００５０】
本実施形態によると、管理単位である各電力計１００に対するグループを入力設定する際に、上流及び下流に設置される電力計１００のグループが設定済の場合に端末表示部２５の背景色を可変して警告報知が行われる。これにより、同一経路上の電力計１００に対して重複してグループが設定されていることを使用者が判別することができる。従って、電力計１００の出力を管理装置１０によりグループ別に集計する際の重複を容易に防止することができ、流量監視システム１の利便性を向上することができる。
【００５１】
また、グループの設定済の電力計１００に対して端末表示部２５の背景色を緑色にした目印（第１目印）を入力画面２１に表示する。また、一の電力計１００の上流及び下流に設置される電力計１００のグループが設定済の場合に、端末表示部２５の背景色を緑色と異なるピンク色にした目印（第２目印）を入力画面２１に表示する。これにより、同一経路上の電力計１００に対して重複してグループが設定されることを使用者が容易に視認して判別することができる。
【００５２】
尚、入力画面２１に表示する目印を端末表示部２５の背景色の可変だけでなく、文字の色やフォントの可変、記号の付加等によって行ってもよい。
【００５３】
また、下流に隣接する電力計１００を有した電力計１００に対してグループが設定されると、下流に連結されるすべての未設定の電力計１００に対して背景色を緑色にした同じ目印が表示される。従って、上流の電力計１００がグループを設定済の場合にグループの設定が不要であることを容易に視認することができる。
【００５４】
また、記憶部１５に記憶されるデータベースが電力計１００を用途別に分類したグループのデータと、電力計１００を設置場所別に分類したグループのデータとを有する。これにより、異なるグループ別に分類した電力の集計を行うことができ、流量監視システム１の利便性をより向上することができる。
【００５５】
また、ステップ＃３３で上流に隣接する電力計１００のグループが設定済か否かを判別する処理を再起的に行い、ステップ＃４３で下流に隣接する電力計１００のグループが設定済か否かを判別する処理を再起的に行う。これにより、流量監視システム１の動作プログラムを簡素化することができる。
【００５６】
本実施形態において、同一経路上の電力計１００が重複してグループ設定される際に警告表示を行っているが、グループの入力を禁止してもよい。即ち、上流または下流にグループを設定済の電力計１００がある電力計１００に対応した端末表示部２５をグレーアウトしてチェックボックス２５ｂにチェックできないように表示してもよい。この時、グループを設定済の電力計１００に対してグループを「未分類」に設定することにより、端末表示部２５のグレーアウトが解除される。
【００５７】
また、本実施形態は電力計１００の出力を管理装置１０により集計しているが、ツリー状に分岐する経路を流れる他の検出対象に対しても同様に構成することができる。例えば、水流等の流体の経路上に配した流量計（端末測定器）等によって流量に基づく検出値を出力して集計する流体監視システムであってもよい。
【産業上の利用可能性】
【００５８】
本発明によると、電流や水流等の流量に基づく検出値を出力する複数の端末測定器を有して端末測定器の出力を監視する流量監視システムに利用することができる。
【符号の説明】
【００５９】
１    流量監視システム
２    電力線
３    通信線
１０    管理装置
１１    制御部
１２    通信部
１３    表示部
１４    操作部
１５    記憶部
２１    入力画面
２２、２３  グループ選択部
２４    更新ボタン
２５    端末表示部
２５ａ  階層ボタン
２５ｂ  チェックボックス
１００〜１７２  電力計
【図１】
2014106148.tif 000004
【図２】
2014106148.tif 000005
【図３】
2014106148.tif 000006
【図４】
2014106148.tif 000007
【図５】
2014106148.tif 000008
【図６】
2014106148.tif 000009
【図７】
2014106148.tif 000010